(57)【特許請求の範囲】
【請求項１】
（Ａ）基板実装用コネクタに対して所定距離まで接近可能に形成された支持体と、
（Ｂ）前記支持体に固定されたスリーブと、前記スリーブ内にその一端が装入されて伸縮自在に形成された軸体とを有する伸縮部材と、
（Ｃ）前記軸体の他端に設けられ、その基板実装用コネクタに向かう先端部が互いに離反するように二股に分岐する一対の分岐部を有し、前記分岐部同士の間隔が分岐点から分岐末端に向かって漸次大きくなるように、かつ前記分岐部同士の間隙において前記一対の分岐部と基板実装用コネクタにおけるハウジングの壁体の端部とが接触するように形成された接触子と、
（Ｄ）前記接触子と前記ハウジングの上端とが接触した状態で、前記支持体が基板実装用コネクタに対して所定距離まで接近することにより前記軸体が移動し、そのハウジングの壁体の寸法により変化する移動距離を検知し、前記基板実装用コネクタの搭載方向の正常異常を検知する検知手段とを備えることを特徴とする検査用プローブ。
【請求項２】
前記伸縮部材が、前記軸体を前記支持体から離反するように付勢する付勢手段を有してなり、前記検知手段が、前記支持体における前記軸体に向かう面と、前記軸体における前記支持体に向かう面とに設けられた電気的接点である前記請求項１に記載の検査用プローブ。
【発明の詳細な説明】
【０００１】
【発明の属する技術分野】
本発明は、検査用プローブに関し、更に詳しくは、被検査体における所定の外形寸法を正確に検知することができ、例えば、基板実装用コネクタが正確な配置関係をもって搭載されているかどうかを検査する検査装置等に採用することができ、検査精度を向上させることができる検査用プローブに関する。
【０００２】
【従来の技術と発明が解決しようとする課題】
従来から、検査用プローブにより被検査体を検査する検査装置として、例えば、被検査体が基板実装用コネクタである場合に、この基板実装用コネクタが導電層を有する基板における所定の位置に所定の搭載方向で搭載されているかどうかをチェックピンにより検査する基板検査装置等がある。
【０００３】
前記基板検査装置は、例えば、前記基板実装用コネクタが左右対称の形状を有していない場合に、前記チェックピンと前記基板実装用コネクタとが所定の位置において接触状態又は非接触状態になることにより、前記チェックピンに関連付けられた電気的接点がＯＮ又はＯＦＦとなって、前記基板実装用コネクタの搭載状態が正しいこと又は間違っていることを検知することができる。
【０００４】
具体的には、前記基板検査装置は、例えば、基板実装用コネクタのハウジングが横長の形状を有している場合に、（イ）そのハウジングの長手方向に直交し、かつ相対向する壁体における厚みの相違、（ロ）そのハウジングの長手方向に直交し、かつ相対向する壁体の高低差、（ハ）そのハウジングの長手方向に沿うところの相対向する一対の壁体における切り溝の有無等を、前記チェックピンと前記基板実装用コネクタにおける壁体とが所定の位置において接触状態又は非接触状態になることによって検知し、前記基板実装用コネクタが所定の搭載方向に正確に搭載されているかどうかを識別することができる。
【０００５】
しかしながら、検査用プローブと被検査体とが所定の位置において接触状態又は非接触状態になることによって、被検査体を検査することができる検査装置においては、例えば、被検査体である基板実装用コネクタの搭載状態が間違った状態であるにもかかわらず、誤って前記基板実装用コネクタの搭載状態が正しいと検知する誤検知を起こすという問題、被検査体である基板実装用コネクタの搭載状態が正しい状態であるにもかかわらず、誤って前記基板実装用コネクタの搭載状態が間違っていると検知する誤検知を起こすという問題等があった。
【０００６】
例えば、前記基板検査装置の設置場所が道路、線路等に隣接し、前記チェックピンが車両の通過等による振動等の外的影響を受けた場合に、このチェックピンと被検査体とが、所定の位置において接触状態となるはずが、非接触状態となってしまったり、所定の位置において非接触状態となるはずが、接触状態となってしまうという不都合を生じ、誤検知を起こすという問題があった。
【０００７】
本発明は、従来からの諸問題を解決することを目的とする。
【０００８】
本発明の目的は、例えば、基板実装用コネクタが正確に搭載されているかどうかを検査する検査装置等に採用することができ、誤検知を起こすことなく、検査精度を向上させることができる検査用プローブを提供することにある。
【０００９】
【課題を解決するための手段】
前記課題を解決するための第１の手段は、（Ａ）基板実装用コネクタに対して所定距離まで接近可能に形成された支持体と、（Ｂ）前記支持体に固定されたスリーブと、前記スリーブ内にその一端が装入されて伸縮自在に形成された軸体とを有する伸縮部材と、（Ｃ）前記軸体の他端に設けられ、その基板実装用コネクタに向かう先端部が互いに離反するように二股に分岐する一対の分岐部を有し、前記分岐部同士の間隔が分岐点から分岐末端に向かって漸次大きくなるように、かつ前記分岐部同士の間隙において前記一対の分岐部と基板実装用コネクタにおけるハウジングの壁体の端部とが接触するように形成された接触子と、（Ｄ）前記接触子と前記ハウジングの上端とが接触した状態で、前記支持体が基板実装用コネクタに対して所定距離まで接近することにより前記軸体が移動し、そのハウジングの壁体の寸法により変化する移動距離を検知し、前記基板実装用コネクタの搭載方向の正常異常を検知する検知手段とを備えることを特徴とする検査用プローブであり、前記課題を解決するための第２の手段は、前記第１の手段における伸縮部材が、前記軸体を前記支持体から離反するように付勢する付勢手段を有してなり、前記検知手段が、前記支持体における前記軸体に向かう面と、前記軸体における前記支持体に向かう面とに設けられた電気的接点である前記第１の手段の検査用プローブである。
【００１０】
【発明の実施の形態】
（一般的説明）
本発明の検査用プローブは、（Ａ）支持体と、（Ｂ）伸縮部材と、（Ｃ）接触子と、（Ｄ）検知手段とを備えてなる。
【００１１】
−（Ａ）支持体−
前記支持体は、被検査体に対して所定距離まで接近可能に形成されてなる。
【００１２】
前記支持体を、被検査体に対して接近移動、あるいは後退移動させる方法としては、例えば、適宜の駆動手段によって前記支持体を駆動させる方法、適宜の駆動手段によって駆動する駆動部材に前記支持体を固定して、支持体を移動させる方法等がある。
【００１３】
前記支持体としては、例えば、被検査体が基板実装用コネクタである場合に、この基板実装用コネクタが導電層を有する基板における所定の場所に正しい配置関係をもって搭載されているかどうかを検査する基板検査装置において、適宜の駆動手段によって、前記基板と前記基板実装用コネクタとを備えてなる基板アッセンブリに対して所定距離まで近接移動することができるベースに、その一端が固定され、後述する伸縮部材におけるスリーブに、その他端が固定され、前記ベースと前記スリーブとを結合する結合部材等を挙げることができる。
【００１４】
前記基板としては、例えば、アルミナ基板、ガラス基板、セラミック多層基板、絶縁金属基板、プラスチック基板、フレキシブルフィルム基板等を挙げることができ、前記基板における導電層は、例えば、印刷、塗布等の手段によって形成することができる。。
【００１５】
前記基板実装用コネクタとしては、例えば、ハウジングと、接続端子例えばピン等とを有するコネクタ等を挙げることができる。
【００１６】
前記ハウジングは、通常、その平面形状が長方形あるいは正方形であり、相対向する一対の壁体を二組有してなる。この相対向する一対の壁体の内、一方の壁体と他方の壁体とは、例えば、その厚み、内側形状、外側形状、切り欠き部の有無、溝部の有無等において、互いに同一とはなっていない。このようなハウジングを有する基板実装用コネクタは、方向性を有しているということができる。ここで、この方向性とは、前記基板に対して前記基板実装用コネクタを、所定の方向、あるいは所定の向きをもって搭載する基板実装用コネクタの属性を言う。
【００１７】
前記基板アッセンブリは、前記基板に搭載する基板実装用コネクタに結合される部品等により達成される機能等に応じて、種々の装置、例えば、コピー機、コンピュータ、パソコン、ワープロ、ファクシミリ、テレビ、ビデオ、ステレオ、ラジオ、冷蔵庫等の各種電気製品に適用することができる。
【００１８】
前記基板アッセンブリは、通常、基台に着脱自在に固定することができ、前記基台を、その前記基板アッセンブリを搭載固定する載置面が水平になるように配置することができる。もっとも、設計上の理由あるいはその他の理由により、前記載置面が、垂直面あるいは斜向面になるように前記基台を配置することもできる。
【００１９】
前記ベースは、前記支持体、例えば、前記結合部材を介して、後述する伸縮部材におけるスリーブと結合されることができる。このベースは、検査用プローブを装着した状態で、前記基板アッセンブリに対して所定距離まで近接移動、あるいは後退移動することができる。
【００２０】
前記ベースにおける前記検査用プローブの装着位置は、前記基台上の基板アッセンブリに対して前記ベースを所定距離まで接近させた場合に、後述する接触子が、基板実装用コネクタのハウジングにおける所定位置に接触可能に、決定されている。
【００２１】
−（Ｂ）伸縮部材−
前記伸縮部材は、前記支持体に固定されたスリーブと、前記スリーブ内にその一端が装入されて伸縮自在に形成された軸体とを有する。
【００２２】
前記伸縮部材における伸縮自在機構としては、例えば、パンタグラフ機構、蛇腹機構、ベローズ機構、付勢手段例えばスプリング等を利用した機構等を挙げることができる。
【００２３】
好ましい伸縮自在機構としては、例えば、前記軸体を前記支持体から離反するように付勢する付勢手段を利用した機構を挙げることができる。
【００２４】
前記スリーブは、例えば、筒型に形成することができる。
【００２５】
前記伸縮部材として具体的には、例えば、その一端に前記支持体が結合し、その他端に開口部を有する筒型スリーブと、前記開口部から筒型スリーブ内にその一端が装入されたシャフトと、前記筒型スリーブの内周面に沿う外周面を有するコイルスプリングとを有し、前記コイルスプリングが前記シャフトを前記支持体から離反するように付勢することによって、前記シャフトが伸縮可能に形成された伸縮部材等を挙げることができる。
【００２６】
−（Ｃ）接触子−
前記接触子は、前記スリーブ内にその一端が装入されて伸縮自在に形成された前記軸体の他端に設けられ、その被検査体に向かう先端部が互いに離反するように分岐する分岐部を有し、前記分岐部における分岐部同士の間隔が分岐点から分岐末端に向かって漸次大きくなるように、かつ前記分岐部同士の間隙において前記分岐部と被検査体とが接触するように形成されてなる。
【００２７】
前記接触子は、前記分岐部同士の間隙において前記分岐部と被検査体とが接触するように形成されてなるので、前記接触子と被検査体とが非接触状態になることに起因する検査精度の低下を防止することができる。
【００２８】
本発明の検査用プローブを前記基板検査装置に採用した場合に、前記接触子は、この接触子における前記分岐部同士の間隙において、例えば、前記分岐部と、被検査体である基板実装用コネクタのハウジングにおける壁体の端部とが接触するように形成することができる。言い換えると、前記接触子は、前記分岐部同士の間隙に前記壁体の端部を挿入することができるように形成することができる。
前記接触子においては、被検査体の大きさ、例えば、前記壁体の端部の厚さ等に応じて、前記分岐部同士の分岐末端間距離を調節することができる。
【００２９】
前記分岐末端間距離を調節する方法としては、例えば、前記分岐部における分岐点から分岐末端までの距離を調節する方法、前記分岐部における分岐点Ｏと、前記分岐部における一方の分岐末端Ｐ及び他方の分岐末端Ｑとで形成される角ＰＯＱの角度を調節する方法等を挙げることができる。
【００３０】
本発明においては、前記分岐部同士の分岐末端間距離を、前記分岐部同士の間隙に前記壁体の端部を容易に挿入することができる充分な距離に調節することによって、例えば、前記基板検査装置の設置場所が道路、線路等に隣接し、検査用プローブが車両の通過等による振動等の外的影響を受けた場合においても、前記分岐部同士の間隙に前記壁体の端部を確実に挿入することができ、後述する検知手段が誤検知を起こすことがない。
【００３１】
前記接触子は、少なくとも二股に分岐する分岐部を有し、例えば、被検査体の形態に応じて、三股以上に分岐する分岐部を有していても良いし、二股に分岐する分岐部を二対以上有していても良い。
【００３２】
前記接触子においては、例えば、前記分岐部が二股に分岐する二股分岐部であり、前記二股分岐部における二股分岐点ｏと、前記二股分岐部における一方の分岐末端ｐ及び他方の分岐末端ｑとで形成される角ｐｏｑの角度が、１０〜６０度の範囲内であるのが好ましく、より好ましくは１５〜４５度の範囲内である。
【００３３】
前記角ｐｏｑの角度が、１０〜６０度の範囲内であると、例えば、基板実装用コネクタの搭載状態が正しい状態であるか、間違った状態であるかを識別する識別感度をより向上させることができ、前記分岐部同士の間隙に前記壁体の端部をより確実に挿入することができ、確実に誤検知を防止することができ、検査精度をより向上させることができる。
【００３４】
前記角ｐｏｑの角度が１０度を下回る場合には、前記分岐部同士の間隙において前記分岐部と被検査体とを容易に接触させることができないことがある。
【００３５】
前記角ｐｏｑの角度が６０度を上回る場合には、識別感度が低下することがある。
【００３６】
−（Ｄ）検知手段−
前記検知手段は、前記接触子と前記被検査体とが接触した後に、前記支持体が被検査体に対して所定距離まで接近することにより移動する前記軸体の移動距離を検知することができる。
【００３７】
前記検知手段は、前記軸体の移動距離が所定閾値に達したことを検知することができる。
【００３８】
本発明の検査用プローブを採用した前記基板検査装置においては、例えば、前記軸体の移動距離が所定閾値に達した場合に、前記基板実装用コネクタが前記基板における所定の位置に搭載されていると判断され、前記軸体の移動距離が所定閾値に達しない場合に、前記基板実装用コネクタが前記基板における所定の位置に搭載されていないと判断されることができる。
【００３９】
また、別の態様として、例えば、前記軸体の移動距離が所定閾値に達した場合に、前記基板実装用コネクタが前記基板における所定の位置に搭載されていないと判断され、前記軸体の移動距離が所定閾値に達しない場合に、前記基板実装用コネクタが前記基板における所定の位置に搭載されていると判断されることができる。
【００４０】
前記検知手段としては、例えば、前記支持体における前記軸体に向かう面と、前記軸体における前記支持体に向かう面とに設けられた電気的接点等を挙げることができる。
【００４１】
前記電気的接点は、例えば、前記軸体の移動距離が、前記電気的接点の接点間距離に達した場合に、ＯＮ状態になり、前記軸体の移動距離が、前記電気的接点の接点間距離に達しない場合に、ＯＦＦ状態を保持するように形成することができる。
【００４２】
また、例えば、前記軸体の移動距離が、前記電気的接点の接点間距離に達した場合に、ＯＦＦ状態になり、前記軸体の移動距離が、前記電気的接点の接点間距離に達しない場合に、ＯＮ状態を保持するように形成することができる。
【００４３】
（具体的説明）
−検査用プローブ−
以下、本発明の検査用プローブの一実施例について、詳細に説明する。
【００４４】
図１に示すように、検査用プローブ１は、支持体２と、前記支持体２に固定された筒型スリーブ３、前記筒型スリーブ３内に装入され、伸縮自在に形成されたシャフト４、及び前記シャフト４を前記支持体２から離反するように付勢するコイルスプリング５を有する伸縮部材６と、接触子７と、電気的接点８とを備えてなる。
【００４５】
前記支持体２は、その一端（図示せず。）が後述するベースに固定され、その他端２ａが前記筒型スリーブ３に固定されることにより、このベースと前記筒型スリーブ３とを結合する。
【００４６】
前記筒型スリーブ３は、前記支持棒２における前記他端２ａを装入することができる支持体装入口３ａと、前記シャフト４における一端４ａを装入することができるシャフト装入口３ｂとを有する。
【００４７】
前記シャフト４は、前記コイルスプリング５により付勢される被付勢面４ｂと、前記このシャフト４自身が前記コイルスプリング５の付勢力によって前記シャフト装入口３ｂから脱落することを防止する移動規制面４ｃとを有する環状突出部４ｄを有する。
【００４８】
前記伸縮部材６は、前記支持体装入口３ａに前記支持体２の他端２ａが結合してなる前記筒型スリーブ３と、前記シャフト装入口３ｂから筒型スリーブ３内にその一端４ａが装入されたシャフト４と、前記筒型スリーブ３の内周面に沿う外周面を有するコイルスプリング５とを有する。
【００４９】
この伸縮部材６においては、前記コイルスプリング５が前記シャフト４における前記被付勢面４ｂを付勢することにより、前記シャフト４が前記支持体２から離反するように付勢される。
【００５０】
前記接触子７は、二股に分岐する一方の分岐部７ａ及び他方の分岐部７ｂを有する二股分岐部７Ａを備え、前記二股分岐部７Ａにおける二股分岐点７ｏと、前記一方の分岐部７ａにおける一方の分岐末端７ｐ、及び、前記他方の分岐部７ｂにおける他方の分岐末端７ｑとで形成される角７ｐ７ｏ７ｑの角度が、３０度に形成されてなる。前記一方の分岐末端７ｐと前記他方の分岐末端７ｑとの距離は２ｍｍであった。
【００５１】
前記電気的接点８は、前記支持体２における前記シャフト４に向かう面２ｂに設けられた支持体側接点８ａと、前記シャフト４における前記支持体２に向かう面４ｅに設けられたシャフト側接点８ｂとを有する。前記支持体側接点８ａと前記シャフト側接点８ｂとには、導電線８ｃが結線され、この導電線８ｃは外部に引き出され、制御表示部（図示せず。）に接続される。
【００５２】
−基板検査装置−
以下、本発明の検査用プローブを採用した検査装置の一実施例について、詳細に説明する。
【００５３】
図２に示すように、基板検査装置９は、被検査体である基板実装用コネクタ１０が導電層を有する基板１１における所定の位置に搭載されているかどうかを検査用プローブ１により検査することができる。
【００５４】
前記基板検査装置９は、検査用プローブ１と、ベース１２と、基台１３とを有する。
【００５５】
前記ベース１２は、水平な上面１３ａを有する基台１３に相対向するように配置され、前記基台１３の上面１３ａに平行な下面１２ａを有する。このベース１２の上面１２ｂには、駆動手段（図示せず。）により鉛直方向に駆動する駆動ロッド１４が結合されてなり、この駆動手段は、前記ベース１２が前記基台１３に対して所定距離まで近接移動、あるいは後退移動することができるように、前記駆動ロッドを駆動することができる。
【００５６】
前記ベース１２には、前記駆動手段によりこのベース１２が移動する場合に、その下面１２ａが前記基台１３における上面１３ａに対して常に平行状態を保って移動することができるように、前記ベース１２を案内する案内手段として、一対の案内ガイド棒１５が結合されてなる。
【００５７】
前記ベース１２の下面１２ａには、前記検査用プローブ１における支持体２の一端（図示せず。）を取り付けて固定することができる支持体取り付け部（図示せず。）が設けられてなる。
【００５８】
前記基板実装用コネクタ１０は、図３に示すように、ハウジング１０Ａとピン１０Ｂとを備える。このハウジング１０Ａは、その平面形状が横長であり、ハウジング１０Ａの長手方向に平行に立設し、かつ相対向して配置された一対の長手方向壁体１０ａ及び１０ｂと、ハウジング１０Ａの長手方向に直交する方向、すなわち短手方向に平行に立設し、かつ相対向して配置された一対の短手方向壁体１０ｃ及び１０ｄとを有する。
【００５９】
前記一対の短手方向壁体の内、一方の短手方向壁体１０ｃには、他方の短手方向壁体１０ｄに向かって突出する突出部１０ｅが設けられてなる。
【００６０】
この一方の短手方向壁体１０ｃに設けられた前記突出部１０ｅにおける短手方向に直交する壁体の厚さ、すなわち前記一方の短手方向壁体１０ｃにおける外壁面１０ｆから突出部１０ｅの先端面１０ｇまでの寸法Ｘは１．２ｍｍであり、前記他方の短手方向壁体１０ｄにおける短手方向に直交する壁体の厚さ、すなわち前記他方の短手方向壁体１０ｄにおける外壁面１０ｈから内壁面１０ｉまでの寸法Ｙは０．８ｍｍである。
【００６１】
前記基板実装用コネクタ１０は、前記寸法Ｘと前記寸法Ｙとの相違によって、この基板実装用コネクタ１０を前記基板１１上に搭載した場合に、所定の搭載方向が決定されている。
【００６２】
次に、前記基板検査装置９の検査動作について説明する。
【００６３】
図２に示すように、初期状態として、前記基台１３から上方に向かって所定の距離だけ離れた位置に前記ベース１２が配置され、前記基台１３の上面１３ａ上には、前記基板実装用コネクタ１０を搭載した基板１１が載置固定される。
【００６４】
−−第１の検査態様−−
第１の検査態様においては、前記基板１１における前記基板実装用コネクタ１０が所定の搭載方向に正しく搭載されている場合に、前記ベース１２に取り付けられた前記検査用プローブ１における前記接触子７が、前記基板実装用コネクタ１０のハウジング１０Ａにおける前記一方の短手方向壁体１０ｃに設けられた突出部１０ｅの鉛直上方に配置され、かつ前記接触子７における前記一方の分岐末端７ｐと前記他方の分岐末端７ｑとを結ぶ方向が、前記突出部１０ｅにおける短手方向に直交する方向に対して平行になるように配置される。
【００６５】
前記駆動手段により前記ベース１２が下降すると、前記接触子７の二股分岐部７Ａにおける一方の分岐部７ａと他方の分岐部７ｂとの間隙に、前記突出部１０ｅの上端部が挿入される。
【００６６】
前記一方の分岐部７ａと他方の分岐部７ｂとの間隙においては、前記一方の分岐部７ａと他方の分岐部７ｂとの分岐部間距離Ｚ１が、前記突出部１０ｅにおける寸法Ｘと一致する位置、すなわち前記分岐部間距離Ｚ１が１．２ｍｍである位置で、前記一方の分岐部７ａ及び他方の分岐部７ｂがそれぞれ前記突出部１０ｅの上端部と接触する。
【００６７】
この第１の検査態様では、前記二股分岐部７Ａにおける前記分岐部間距離Ｚ１が前記寸法Ｘと一致する位置を、正常検知位置と称する。
【００６８】
前記突出部１０ｅの上端部が前記正常検知位置に達した後に、前記ベース１２が前記基台１３に対して所定距離まで近接移動することによって、前記検査用プローブ１における前記シャフト４が、前記コイルスプリング５の付勢力に抗して前記筒型スリーブ３内で相対的に上昇移動し、前記支持体側接点８ａと前記シャフト側接点８ｂとが接触する。
【００６９】
前記支持体側接点８ａと前記シャフト側接点８ｂとが接触すると、前記導電線８ｃに電流が流れて、前記電気的接点がＯＮ状態であることを、前記制御表示部における、例えば、警報器、警告灯、ＣＲＴ画面等で検知することができる。
【００７０】
この第１の検査態様では、前記制御表示部が、前記電気的接点のＯＮ状態を検知した場合に、前記基板実装用コネクタ１０の搭載方向が正しいと検知することができる。
【００７１】
一方、前記基板１１における前記基板実装用コネクタ１０が所定の搭載方向に対して１８０度回転して搭載されている場合においては、前記駆動手段により前記ベース１２が下降すると、前記接触子７の二股分岐部７Ａにおける一方の分岐部７ａと他方の分岐部７ｂとの間隙に、前記他方の短手方向壁体１０ｄの上端部が挿入される。
【００７２】
前記一方の分岐部７ａと他方の分岐部７ｂとの間隙においては、前記一方の分岐部７ａと他方の分岐部７ｂとの分岐部間距離Ｚ１が、前記他方の短手方向壁体１０ｄにおける寸法Ｙと一致する位置、すなわち前記分岐部間距離Ｚ１が０．８ｍｍである位置で、前記一方の分岐部７ａ及び他方の分岐部７ｂがそれぞれ前記他方の短手方向壁体１０ｄの上端部と接触する。
【００７３】
この第１の検査態様では、前記二股分岐部７Ａにおける前記分岐部間距離Ｚ１が前記寸法Ｙと一致する位置を、異常検知位置と称する。
【００７４】
前記他方の短手方向壁体１０ｄの上端部が前記異常検知位置に達した後に、前記ベース１２が前記基台１３に対して所定距離まで近接移動し、前記検査用プローブ１における前記シャフト４が、前記コイルスプリング５の付勢力に抗して前記筒型スリーブ３内で相対的に上昇移動する。
【００７５】
しかしながら、前記シャフト４の上昇移動距離が、前記支持体側接点８ａと前記シャフト側接点８ｂとを接触させるのに必要な距離に満たないので、前記支持体側接点８ａと前記シャフト側接点８ｂとが接触せず、前記導電線８ｃに電流が流れない。
【００７６】
この第１の検査態様では、前記制御表示部が、前記電気的接点のＯＮ状態を検知しない場合に、前記基板実装用コネクタ１０の搭載方向が間違っていると検知することができる。
【００７７】
−−第２の検査態様−−
第２の検査態様においては、前記基板１１における前記基板実装用コネクタ１０が所定の搭載方向に正しく搭載されている場合に、前記ベース１２に取り付けられた前記検査用プローブ１における前記接触子７が、前記基板実装用コネクタ１０のハウジング１０Ａにおける前記他方の短手方向壁体１０ｄの鉛直上方に配置され、かつ前記接触子７における前記一方の分岐末端７ｐと前記他方の分岐末端７ｑとを結ぶ方向が、前記他方の短手方向壁体１０ｄにおける短手方向に直交する方向に対して平行になるように配置される。
【００７８】
前記駆動手段により前記ベース１２が下降すると、前記接触子７の二股分岐部７Ａにおける一方の分岐部７ａと他方の分岐部７ｂとの間隙に、前記他方の短手方向壁体１０ｄの上端部が挿入される。
【００７９】
前記一方の分岐部７ａと他方の分岐部７ｂとの間隙においては、前記一方の分岐部７ａと他方の分岐部７ｂとの分岐部間距離Ｚ２が、前記他方の短手方向壁体１０ｄにおける寸法Ｙと一致する位置、すなわち前記分岐部間距離Ｚ２が０．８ｍｍである位置で、前記一方の分岐部７ａ及び他方の分岐部７ｂがそれぞれ前記他方の短手方向壁体１０ｄの上端部と接触する。
【００８０】
この第２の検査態様では、前記二股分岐部７Ａにおける前記分岐部間距離Ｚ２が前記寸法Ｙと一致する位置を、正常検知位置と称する。
【００８１】
前記他方の短手方向壁体１０ｄの上端部が前記正常検知位置に達した後に、前記ベース１２が前記基台１３に対して所定距離まで近接移動することによって、前記検査用プローブ１における前記シャフト４が、前記コイルスプリング５の付勢力に抗して前記筒型スリーブ３内で相対的に上昇移動するが、前記支持体側接点８ａと前記シャフト側接点８ｂとは接触しない。
【００８２】
前記支持体側接点８ａと前記シャフト側接点８ｂとが接触しないので、前記導電線８ｃに電流は流れず、前記電気的接点がＯＦＦ状態を保持していることを、前記制御表示部における、例えば、警報器、警告灯、ＣＲＴ画面等で検知することができる。
【００８３】
この第２の検査態様では、前記制御表示部が、前記電気的接点のＯＮ状態を検知しない場合に、前記基板実装用コネクタ１０の搭載方向が正しいと検知することができる。
【００８４】
一方、前記基板１１における前記基板実装用コネクタ１０が所定の搭載方向に対して１８０度回転して搭載されている場合においては、前記駆動手段により前記ベース１２が下降すると、前記接触子７の二股分岐部７Ａにおける一方の分岐部７ａと他方の分岐部７ｂとの間隙に、前記一方の短手方向壁体１０ｃに設けられた突出部１０ｅの上端部が挿入される。
【００８５】
前記一方の分岐部７ａと他方の分岐部７ｂとの間隙においては、前記一方の分岐部７ａと他方の分岐部７ｂとの分岐部間距離Ｚ２が、前記突出部１０ｅにおける寸法Ｘと一致する位置、すなわち前記分岐部間距離Ｚ２が１．２ｍｍである位置で、前記一方の分岐部７ａ及び他方の分岐部７ｂがそれぞれ前記突出部１０ｅの上端部と接触する。
【００８６】
この第２の検査態様では、前記二股分岐部７Ａにおける前記分岐部間距離Ｚ２が前記寸法Ｘと一致する位置を、異常検知位置と称する。
【００８７】
前記突出部１０ｅの上端部が前記異常検知位置に達した後に、前記ベース１２が前記基台１３に対して所定距離まで近接移動し、前記検査用プローブ１における前記シャフト４が、前記コイルスプリング５の付勢力に抗して前記筒型スリーブ３内で相対的に上昇移動し、前記支持体側接点８ａと前記シャフト側接点８ｂとが接触する。
【００８８】
前記支持体側接点８ａと前記シャフト側接点８ｂとが接触すると、前記導電線８ｃに電流が流れて、前記電気的接点がＯＮ状態であることを、前記制御表示部における、例えば、警報器、警告灯、ＣＲＴ画面等で検知することができる。
【００８９】
この第２の検査態様では、前記制御表示部が、前記電気的接点のＯＮ状態を検知した場合に、前記基板実装用コネクタ１０の搭載方向が間違っていると検知することができる。
【００９０】
前記検査用プローブ１においては、前記基板実装用コネクタ１０が所定の搭載方向に正しく搭載されている場合における前記シャフト４の移動距離（以下、「正常移動距離」と称することがある。）と、前記基板実装用コネクタ１０が所定の搭載方向に対して１８０度回転して搭載されている場合における前記シャフト４の移動距離（以下、「異常移動距離」と称することがある。）との相違を前記電気的接点で検知することができる。
【００９１】
前記正常移動距離と前記異常移動距離との移動距離差は、前記正常検知位置と前記異常検知位置との高低差に相当し、この高低差は、前記寸法Ｘと前記寸法Ｙとの寸法差により生じている。
【００９２】
本発明においては、前記接触子における分岐部の形状を適宜に決定することにより、例えば、被検査体における前記寸法差が極微小な値であっても、この極微小な寸法差を、誤検知を生じない充分に大きな値、例えば、前記高低差に変換することができ、被検査体の検査精度をより向上させることができる。
【００９３】
具体的には、例えば、前記角ＰＯＱをより小さくすることにより、前記寸法差をより大きな前記高低差に変換することができる。
【００９４】
（変形例）
本発明においては、上述したＶ字形状の接触子以外に、Ｕ字形状の接触子を採用することができ、例えば、図４に示すように、前記接触子として、弧状分岐部１６Ａを有する接触子１６を採用することができる。
【００９５】
本発明においては、ト字形状の接触子を採用することができ、例えば、図５に示すように、前記接触子として、ト字状分岐部１７Ａを有する接触子１７を採用することができる。
【００９６】
【発明の効果】
本発明の検査用プローブによれば、検査用プローブの接触子を、その分岐部同士の間隙において、前記分岐部と被検査体とが接触するように形成することにより、前記分岐部と被検査体とが接触した状態で被検査体における所定の外形寸法を正確に検知することができ、例えば、基板実装用コネクタが正確に搭載されているかどうかを検査する検査装置等に好適に採用することができ、誤検知を起こすことなく、検査精度を向上させることができる。
【図面の簡単な説明】
【図１】図１は、本発明の検査用プローブの一実施例を示す概略図である。
【図２】図２は、本発明の検査用プローブを採用した基板検査装置の一実施例を示す概略図である。
【図３】図３は、本発明の検査用プローブを採用した基板検査装置により検査することができる基板実装用コネクタの一実施例を示す概略図である。
【図４】図４は、本発明の検査用プローブにおける接触子の一実施例を示す概略図である。
【図５】図５は、本発明の検査用プローブにおける接触子の一実施例を示す概略図である。
【符号の説明】
１・・・検査用プローブ、２・・・支持体、２ａ・・・他端、２ｂ・・・シャフト４に向かう面、３・・・筒型スリーブ、３ａ・・・支持体装入口、３ｂ・・・シャフト装入口、４・・・シャフト、４ａ・・・一端、４ｂ・・・被付勢面、４ｃ・・・移動規制面、４ｄ・・・環状突出部、４ｅ・・・支持体２に向かう面、５・・・コイルスプリング、６・・・伸縮部材、７・・・接触子、７Ａ・・・二股分岐部、７ａ・・・一方の分岐部、７ｂ・・・他方の分岐部、７ｏ・・・二股分岐点、７ｐ・・・一方の分岐末端、７ｑ・・・他方の分岐末端、８・・・電気的接点、８ａ・・・支持体側接点、８ｂ・・・シャフト側接点、８ｃ・・・導電線、９・・・基板検査装置、１０・・・基板実装用コネクタ、１０Ａ・・・ハウジング、１０Ｂ・・・ピン、１０ａ・・・長手方向壁体、１０ｂ・・・長手方向壁体、１０ｃ・・・一方の短手方向壁体、１０ｄ・・・他方の短手方向壁体、１０ｅ・・・突出部、１０ｆ・・・外壁面、１０ｇ・・・先端面、１０ｈ・・・外壁面、１０ｉ・・・内壁面、１１・・・基板、１２・・・ベース、１２ａ・・・下面、１２ｂ・・・上面、１３・・・基台、１３ａ・・・上面、１４・・・駆動ロッド、１５・・・案内ガイド棒、１６・・・接触子、１６Ａ・・・弧状分岐部、１７・・・接触子、１７Ａ・・・ト字状分岐部。
【図１】
0004001991.tif 000002
【図２】
0004001991.tif 000003
【図３】
0004001991.tif 000004
【図４】
0004001991.tif 000005
【図５】
0004001991.tif 000006